(57)【特許請求の範囲】
【請求項１】
所定量の単位に分割された複数の分割情報の順番を示す上位のアドレス情報とその誤り訂正情報とからなる予備情報が予め記録された情報記録媒体に、情報を前記単位に基づいて複数の分割情報に分割し、各分割情報をＮ（Ｎは自然数）分割し、Ｎ個の分割情報の順番を示す下位のアドレスと上位のアドレスとを合わせた情報とその誤り訂正情報を付加し、Ｎ個の各分割情報を更にＭ（Ｍは自然数）分割した区切りを示す区切り情報を付加して記録する情報記録装置において、
前記情報記録媒体上の予備情報を再生する予備情報再生手段と、
該手段によって再生された予備情報中の誤り訂正情報を検出する予備情報中誤り訂正情報検出手段と、
前記情報記録媒体に記録された情報を再生する情報再生手段と、
該手段によって再生された情報から各分割情報の区切り情報を検出する区切り情報検出手段と、
該手段によって検出された区切り情報の検出回数を計数する区切り情報検出回数計数手段と、
前記情報記録媒体に記録された情報中の各分割情報の上位と下位のアドレス情報とその誤り訂正情報とを検出し、その誤りを検出する誤り検出手段と、
前記予備情報再生手段によって再生した上位のアドレス情報と、前記区切り情報検出手段によって検出した区切り情報と、前記予備情報中誤り訂正情報検出手段と前記誤り検出手段によってそれぞれ検出された検出結果と、前記区切り情報検出回数計数手段によって計数された区切り情報の検出回数とに基づいて再生中の情報の各分割情報の上位と下位のアドレスを判断し、該判断に基づいて前記情報記録媒体上に記録された情報の終端位置を検出する終端位置検出手段とを設け、前記情報記録媒体上に記録された情報の終端位置に連続して新たな情報を追加記録するようにしたことを特徴とする情報記録装置。
【請求項２】
所定量の単位に分割された複数の分割情報の順番を示す上位のアドレス情報とその誤り訂正情報とからなる予備情報が予め記録された情報記録媒体に、情報を前記単位に基づいて複数の分割情報に分割し、各分割情報をＮ（自然数）分割し、Ｎ個の分割情報の順番を示す下位のアドレスと上位のアドレスとを合わせた情報とその誤り訂正情報を付加し、Ｎ個の各分割情報を更にＭ（自然数）分割した区切りを示す区切り情報を付加して記録する情報記録装置において、
前記情報記録媒体上の予備情報を再生する予備情報再生手段と、
該手段によって再生された予備情報中の誤り訂正情報を訂正する予備情報中誤り訂正手段と、
前記情報記録媒体に記録された情報を再生する情報再生手段と、
該手段によって再生された情報から各分割情報の区切り情報を検出する区切り情報検出手段と、
該手段によって検出された区切り情報の検出回数を計数する区切り情報検出回数計数手段と、
前記情報記録媒体に記録された情報中の各分割情報の上位と下位のアドレス情報とその誤り訂正情報とを検出し、その誤りを訂正する誤り訂正手段と、
前記予備情報中誤り訂正手段によって訂正された予備情報中の上位のアドレス情報と、前記誤り訂正手段によって訂正された上位と下位のアドレス情報と、各誤り訂正が可能であったか否かを示す情報と、前記区切り情報検出回数計数手段によって計数された区切り情報の検出回数とに基づいて再生中の情報の各分割情報の上位と下位のアドレスを判断し、該判断に基づいて前記情報記録媒体上に記録された情報の終端位置を検出する終端位置検出手段とを設け、
前記情報記録媒体上に記録された情報の終端位置に連続して新たな情報を追加記録するようにしたことを特徴とする情報記録装置。
【発明の詳細な説明】
【０００１】
【発明の属する技術分野】
この発明は、光ディスク等の情報記録媒体に情報を記録し、その情報記録媒体に対して既に記録された旧情報に連続して新たな情報を追加記録する光ディスク記録装置等の情報記録装置に関する。
【０００２】
【従来の技術】
従来、情報記録媒体に対して既に記録された旧情報に連続して新たな情報を追加記録する場合、旧情報の終端を検出する時に単に旧情報を読み出して検出する光ディスク記録装置等の情報記録装置（例えば、特開平９−２７０１７１号公報参照）があった。
【０００３】
【発明が解決しようとする課題】
しかしながら、上述したような従来の情報記録装置では、情報記録媒体に記録された旧情報に連続して新情報を追加記録する場合、単に旧情報を読み出して終端を検出するだけであり、読み出した情報に誤りがあった場合は正常に動作しないという問題があった。
【０００４】
この発明は上記の点に鑑みてなされたものであり、情報記録媒体に記録された旧情報に連続して新情報を追加記録するときの終端検出時に、読み出した情報に誤りがあっても正しく旧情報の終端を検出できるようにすることを目的とする。
【０００５】
【課題を解決するための手段】
この発明は上記の目的を達成するため、所定量の単位に分割された複数の分割情報の順番を示す上位のアドレス情報とその誤り訂正情報とからなる予備情報が予め記録された情報記録媒体に、情報を上記単位に基づいて複数の分割情報に分割し、各分割情報をＮ（Ｎは自然数）分割し、Ｎ個の分割情報の順番を示す下位のアドレスと上位のアドレスとを合わせた情報とその誤り訂正情報を付加し、Ｎ個の各分割情報を更にＭ（Ｍは自然数）分割した区切りを示す区切り情報を付加して記録する情報記録装置において、以下の手段を設けたものである。
【０００６】
上記情報記録媒体上の予備情報を再生する予備情報再生手段と、その手段によって再生された予備情報中の誤り訂正情報を検出する予備情報中誤り訂正情報検出手段と、上記情報記録媒体に記録された情報を再生する情報再生手段と、その手段によって再生された情報から各分割情報の区切り情報を検出する区切り情報検出手段と、その手段によって検出された区切り情報の検出回数を計数する区切り情報検出回数計数手段を設けている。
【０００７】
また、上記情報記録媒体に記録された情報中の各分割情報の上位と下位のアドレス情報とその誤り訂正情報とを検出し、その誤りを検出する誤り検出手段と、上記予備情報再生手段によって再生した上位のアドレス情報と、上記区切り情報検出手段によって検出した区切り情報と、上記予備情報中誤り訂正情報検出手段と上記誤り検出手段によってそれぞれ検出された検出結果と、上記区切り情報検出回数計数手段によって計数された区切り情報の検出回数とに基づいて再生中の情報の各分割情報の上位と下位のアドレスを判断し、その判断に基づいて上記情報記録媒体上に記録された情報の終端位置を検出する終端位置検出手段を設け、上記情報記録媒体上に記録された情報の終端位置に連続して新たな情報を追加記録するようにしたものである。
【０００８】
さらに、この発明は上記の目的を達成するため、所定量の単位に分割された複数の分割情報の順番を示す上位のアドレス情報とその誤り訂正情報とからなる予備情報が予め記録された情報記録媒体に、情報を上記単位に基づいて複数の分割情報に分割し、各分割情報をＮ（自然数）分割し、Ｎ個の分割情報の順番を示す下位のアドレスと上位のアドレスとを合わせた情報とその誤り訂正情報を付加し、Ｎ個の各分割情報を更にＭ（自然数）分割した区切りを示す区切り情報を付加して記録する情報記録装置において、以下に示す各手段を設けたものも提供する。
【０００９】
上記情報記録媒体上の予備情報を再生する予備情報再生手段と、その手段によって再生された予備情報中の誤り訂正情報を訂正する予備情報中誤り訂正手段と、上記情報記録媒体に記録された情報を再生する情報再生手段と、その手段によって再生された情報から各分割情報の区切り情報を検出する区切り情報検出手段と、その手段によって検出された区切り情報の検出回数を計数する区切り情報検出回数計数手段を設けている。
【００１０】
また、上記情報記録媒体に記録された情報中の各分割情報の上位と下位のアドレス情報とその誤り訂正情報とを検出し、その誤りを訂正する誤り訂正手段と、上記予備情報中誤り訂正手段によって訂正された予備情報中の上位のアドレス情報と、上記誤り訂正手段によって訂正された上位と下位のアドレス情報と、各誤り訂正が可能であったか否かを示す情報と、上記区切り情報検出回数計数手段によって計数された区切り情報の検出回数とに基づいて再生中の情報の各分割情報の上位と下位のアドレスを判断し、その判断に基づいて上記情報記録媒体上に記録された情報の終端位置を検出する終端位置検出手段とを設け、上記情報記録媒体上に記録された情報の終端位置に連続して新たな情報を追加記録するようにしたものである。
【００１１】
【発明の実施の形態】
以下、この発明の実施の形態を図面に基づいて具体的に説明する。
この発明の実施形態の情報記録装置では、公知の記録情報のデータ・フォーマット（例えば、特開平９−２７０１７１号公報の図１及び図２を参照）を用いる。ここでは、この発明に係る分割数の変数ＮとＭは、それぞれＮ＝１６，Ｍ＝２６である。
【００１２】
また、その情報記録装置の全体の概要構成は、公知の装置と略同じである（例えば、特開平９−２７０１７１号公報の図３に記載された装置構成と略同じであり、同図のデコーダとプリピット信号デコーダに代えて、後述するこの発明の実施形態の図１又は図５の回路を設ける）。したがって、以下、この発明に関わる記録媒体の終端を検知する回路部分についてのみ示す。
【００１３】
まず、プリピット信号のデータフォーマットについて説明する。
例えば、ＤＶＤ−Ｒディスクは、情報を記録する溝（「グルーブ（ｇｒｏｏｖｅ）」と称する）が蛇行（「ウォブル（ｗｏｂｂｌｅ）」）して形成されており、情報記録装置は、情報記録時に、上記溝による蛇行周波数が一定になるようにサーボ制御を行なってＤＶＤ−Ｒディスクを一定の線速度で回転させる。
【００１４】
また、ＤＶＤ−Ｒディスクは、未記録ディスク上のアドレスを検出するために、溝と溝の間（これを「ランド（ｌａｎｄ）」と称する）に前もって予備情報であるプリピット信号が記録されている。
【００１５】
図２は、ＤＶＤ−Ｒディスクに記録するデータとウォブル（ｗｏｂｂｌｅ）信号とプリピット信号との位置関係を示す図である。
図３は、３ビットのデータを１ビットのデータに変換するために使用する変換テーブルのデータフォーマットを示す図である。
【００１６】
図２に示すように、１シンクフレームに８周期のウォブル信号が対応し、偶数又は奇数シンクフレームの最初の３周期にランドプリピット信号：Ｐがある。
ランドプリピット信号：Ｐは細いパルス信号を示しており、その各ｂ２，ｂ１，ｂ０のパルス信号の有無によって“１”と“０”を示す。同図中でパルス信号有りは実線で示し、パルス信号無しは破線で示している。ここでは、シンクフレーム０の各パルス信号ｂ２，ｂ１，ｂ０は“１１１”を示し、シンクフレーム２の各パルス信号ｂ２，ｂ１，ｂ０は“１００”を示している。
その３ビットのデータは、図３に示す変換テーブルに従って１ビットのデータに変換される。
すなわち、図２に示した３ビットのデータ“１１１”“１００”を図３に示す変換テーブルで変換する。
【００１７】
図４は、１セクタ（２６（＝Ｍ）シンクフレーム）内の変換後の１３ビットのデータを１ＥＣＣブロック（１６（＝Ｎ）セクタ）分表記したデータ構成を示す図である。
このように、ｂｉｔ５〜１２の８ビットでＥＣＣブロックアドレスや誤り訂正用のパリティデータを表現し、誤り検出や誤り訂正を行なえる。
また、プリピット信号による予備情報は、ＥＣＣブロック・アドレスを示し、記録される情報にはセクタアドレス（ＥＣＣブロック・アドレスの下位に４ビットを追加したアドレス）が付加される。
【００１８】
次に、この発明の情報記録装置の第１実施例を説明する。
図１は、この発明の情報記録装置の第１実施例の回路構成を示す図である。
【００１９】
この情報記録装置は、ＣＰＵ，ＲＯＭ，及びＲＡＭ等からなるマイクロコンピュータによって実現され、図示を省略したピックアップ，レーザダイオード，偏光ビームスプリッタ，対物レンズ，光検出器等からなる再生部２０によってＤＶＤ−Ｒディスクの再生信号から同期パターン（ヘッダ）を検出する同期パターン検出回路１と、同期パターン後の１６ビット単位のデータを８ビットに変換する８／１６復調回路２を備えている。
【００２０】
また、同期パターン後のデータ数をカウントする第１カウンタ３と、同期パターンの検出回数をカウントする第２カウンタ４と、セクタアドレスをカウントする第３カウンタ５を備えている。
【００２１】
さらに、セクタアドレスを含むＩＤデータの誤りを検出するＩＤ誤り検出回路６と、プリピット信号を８ビット単位のデータとして再生するプリピットデータ再生回路７と、プリピットデータの誤りを検出するプリピット誤り検出回路８と、ＩＤによるセクタアドレスとプリピットデータによるアドレスを入力し、アドレスが正しい場合は第３カウンタ５に設定するアドレス選択回路９を備えている。
【００２２】
すなわち、この第１実施例の情報記録装置は、所定量の単位に分割された複数の分割情報の順番を示す上位のアドレス情報（ＥＣＣブロック・アドレス）とその誤り訂正情報とからなる予備情報が予め記録された情報記録媒体に、情報を前記単位に基づいて複数の分割情報に分割し、各分割情報をＮ（＝１６）分割し、Ｎ個の分割情報の順番を示す下位のアドレスと上位のアドレスとを合わせた情報とその誤り訂正情報を付加し、上記分割情報を更にＭ（＝２６）分割した区切りを示す区切り情報を付加して記録する装置である。
【００２３】
そして、上記回路は、上記情報記録媒体上の予備情報を再生する予備情報再生手段（再生部２０とプリピットデータ再生回路７がその機能を果たす）と、その手段によって再生された予備情報中の誤り訂正情報を検出する予備情報中誤り訂正情報検出手段（プリピット誤り検出回路８がその機能を果たす）と、上記情報記録媒体に記録された情報を再生する情報再生手段（再生部２０がその機能を果たす）と、その手段によって再生された情報から各分割情報の区切り情報を検出する区切り情報検出手段（同期パターン検出回路１がその機能を果たす）と、その手段によって検出された区切り情報の検出回数を計数する区切り情報検出回数計数手段（第２カウンタ４がその機能を果たす）を備えている。
【００２４】
また、上記情報記録媒体に記録された情報中の各分割情報の上位と下位のアドレス情報とその誤り訂正情報とを検出し、その誤りを検出する誤り検出手段（ＩＤ誤り検出回路６がその機能を果たす）と、上記予備情報再生手段によって再生した上位のアドレス情報と、上記区切り情報検出手段によって検出した区切り情報と、上記予備情報中誤り訂正情報検出手段と前記誤り検出手段によってそれぞれ検出された検出結果と、上記区切り情報検出回数計数手段によって計数された区切り情報の検出回数とに基づいて再生中の情報の各分割情報の上位と下位のアドレスを判断（その判断機能は第３カウンタ５とアドレス選択回路９が果たす）し、その判断に基づいて上記情報記録媒体上に記録された情報の終端位置を検出する終端位置検出手段（図示を省略したＣＰＵがその機能を果たす）とを備えており、上記情報記録媒体上に記録された情報の終端位置に連続して新たな情報を追加記録する。
【００２５】
次に、上記回路における、既に記録された旧情報があるＤＶＤ−Ｒディスク上に連続して新情報を追加記録するときの旧情報の終端を検出する回路動作について説明する。
【００２６】
まず、ＤＶＤ−Ｒディスク上には、精度の低い位置情報である上位のアドレスを含む予備情報が記録されており、記録する情報には上位アドレスと共に下位アドレスを付加する。
情報記録装置において、ＤＶＤ−Ｒディスク上の旧情報とプリピット信号を再生する動作を行ない、各信号を２値化データとして上記回路に入力する。
この回路は、同期パターン検出回路１によって旧情報再生信号から同期パターン（ヘッダ）を検出し、同期パターンを検出したら、そこから８／１６復調回路２によって再生信号を８ビット単位のデータに変換する。
【００２７】
さらに、ＩＤ誤り検出回路６によって８ビット単位の各データからＩＤ，ＩＤ情報誤り訂正コード（ＩＥＣ）を検出して誤り検出を行ない、ＩＤ中のセクタアドレスデータを抽出して、誤り検出結果のエラーフラグＡ（１：エラー有り、０：エラー無し）と共に出力する。
【００２８】
一方、プリピットデータ再生回路７によってプリピット信号を８ビット単位のデータ（上記ｂｉｔ５〜１２）にして出力し、プリピット誤り検出回路８によってプリピットデータの誤り検出を行ない、エラーフラグＢ（１：エラー有り、０：エラー無し）と共にＥＣＣブロックアドレスデータを出力する。
【００２９】
ところで、上記の処理において、種々のノイズ，ディスクの傷，及び汚れ等の原因により、再生信号に異常があると、同期パターンを検出できなかったり、セクタアドレスやＥＣＣブロックアドレスにエラーが発生する。その対策として、第１カウンタ３，第２カウンタ４，及び第３カウンタ５を使用する。
【００３０】
まず、第１カウンタ３では、同期パターン検出後のデータ数をカウントする。この第１カウンタ３は、同期パターン検出回路１によって一度同期パターンが検出されたら“１”を設定し、順次加算してデータ数をカウントし、“９１（１シンクフレーム中のデータ数）”に達したら信号を出力し、再び“１”を設定する。
【００３１】
次に、第２カウンタ４では、検出した同期パターンの数をカウントする。
この第２カウンタ４は、ＯＲ回路１０を介して同期パターン検出回路１によって１セクタの先頭の同期パターンが検出されたら“１”を設定し、次の同期パターンが検出されるか、第１カウンタ３からの信号が出力されたら、カウント値をインクリメントする。
【００３２】
そして、カウンタ値が“２６（１セクタ内の同期パターン数）”に達したら、“１”を設定し、第３カウンタ５に対してカウント値をインクリメントする信号を出力する。この第２カウンタ４の出力によって任意のランドプリピットデータのシンクフレームの検出が可能になる。
【００３３】
次に、第３カウンタ５では、セクタアドレスを表示するカウント値をカウントする。この第３カウンタ５は、エラーフラグＡ＝０の場合は、エラーフラグＢとは無関係にセクタアドレスデータを設定する。
また、エラーフラグＡ＝１，かつエラーフラグＢ＝０の場合は、ＥＣＣブロックアドレスを設定する。
【００３４】
上記ＥＣＣブロックアドレスは、１６セクタ単位のアドレスであり、１６進表示のセクタアドレスの下位１桁（４ビット）の情報が無いため、下位４ビットは第３カウンタ５のカウント値を保存する。
さらに、エラーフラグＡ＝１，かつエラーフラグＢ＝１の場合は、第２カウンタ４からの信号によってカウント値をインクリメントする。
【００３５】
そして、エラーフラグＡとエラーフラグＢを判断し、アドレス選択回路９によって第３カウンタ５にアドレスを設定する処理を行なう。
したがって、情報記録装置は、上記回路によって検出されたセクタアドレスとシンクフレームに基づいて旧情報の終端を検出することができる。
【００３６】
このようにして、情報記録媒体上の予備情報の誤り検出と、記録された分割情報のアドレス情報の誤り検出を行ない、分割情報の区切りを検出した回数を計数する手段を有しているので、誤りがなかった場合は、検出した記録情報の終端を正しいと判断でき、誤りがあった場合は、計数手段から記録情報の終端を判別できるので、従来よりも、より正確に記録情報の終端を検出できる。又、誤り訂正を行なわず、誤り検出のみに留めているため、回路規模を小さくできる。
【００３７】
次に、この発明の情報記録装置の第２実施例を説明する。
図５は、この発明の情報記録装置の第２実施例の回路構成を示す図であり、図１の回路におけるＩＤ誤り検出回路６とプリピット誤り検出回路８を、それぞれＩＤ誤り訂正回路１１とプリピット誤り訂正回路１２に置き換えた回路である。この第２実施例の回路は上記の違いがあるだけであり、他の回路動作は図１と同じであるので、その説明を省略する。
【００３８】
すなわち、この第２実施例の回路は、上記情報記録媒体上の予備情報を再生する予備情報再生手段（プリピットデータ再生回路７と再生部２０がその機能を果たす）と、その手段によって再生された予備情報中の誤り訂正情報を訂正する予備情報中誤り訂正手段（プリピット誤り訂正回路１２がその機能を果たす）と、上記情報記録媒体に記録された情報を再生する情報再生手段（再生部２０がその機能を果たす）と、その手段によって再生された情報から各分割情報の区切り情報を検出する区切り情報検出手段（同期パターン検出回路１がその機能を果たす）と、その手段によって検出された区切り情報の検出回数を計数する区切り情報検出回数計数手段（第２カウンタ４がその機能を果たす）を備えている。
【００３９】
また、上記情報記録媒体に記録された情報中の各分割情報の（セクタ）アドレスとその誤り訂正情報とを検出し、その誤りを訂正する誤り訂正手段（ＩＤ誤り訂正回路１１がその機能を果たす）と、上記予備情報中誤り訂正手段によって訂正された予備情報中のＥＣＣブロック・アドレスと、上記誤り訂正手段によって訂正されたＥＣＣブロック・アドレスと、各誤り訂正が可能であったか否かを示す情報と、上記区切り情報検出回数計数手段によって計数された区切り情報の検出回数とに基づいて再生中の情報の各分割情報のアドレスを判断（この判断機能は第３カウンタ５とアドレス選択回路９が果たす）し、その判断に基づいて上記情報記録媒体上に記録された情報の終端位置を検出する終端位置検出手段（図示を省略したＣＰＵがその機能を果たす）とを備えており、上記情報記録媒体上に記録された情報の終端位置に連続して新たな情報を追加記録する。
【００４０】
従って、この回路によれば、エラーフラグＡとエラーフラグＢは、誤り訂正が可能であった場合は“０”になり、訂正されたセクタアドレスデータやＥＣＣブロックアドレスデータを出力することができる。一方、誤り訂正が不可能であった場合は、エラーフラグＡとエラーフラグＢは“１”になる。
【００４１】
また、誤りが無かった場合は、エラーフラグＡとエラーフラグＢは“０”になり、そのままのセクタアドレスデータやＥＣＣブロックアドレスデータを出力することができる。
【００４２】
このようにして、ＩＤ誤り訂正回路１１とプリピット誤り訂正回路１２を設け、８／１６復調回路２の変換データの誤り訂正とプリピットデータ再生回路７の再生データの誤り訂正を行なうので、記録情報の終端検出精度の信頼度を更に向上させることができる。
【００４３】
なお、この実施形態ではＤＶＤ−Ｒディスクに対する既記録情報の終端検出処理について説明したが、この発明の情報記録装置は、その他の記録可能なディスクに対しても同様に実施することができる。
【００４４】
【発明の効果】
以上説明してきたように、この発明による情報記録装置によれば、情報記録媒体に記録された旧情報に連続して新情報を追加記録するときの終端検出時に、読み出した情報に誤りがあっても正しく旧情報の終端を検出することができる。
【図面の簡単な説明】
【図１】この発明の情報記録装置の第１実施例の回路構成を示す図である。
【図２】ＤＶＤ−Ｒディスクに記録するデータとウォブル（ｗｏｂｂｌｅ）信号とプリピット信号との位置関係を示す図である。
【図３】３ビットのデータを１ビットのデータに変換するために使用する変換テーブルのデータフォーマットを示す図である。
【図４】１セクタ（２６シンクフレーム）内の変換後の１３ビットのデータを１ＥＣＣブロック（１６セクタ）分表記したデータ構成を示す図である。
【図５】この発明の情報記録装置の第２実施例の回路構成を示す図である。
【符号の説明】
１：同期パターン検出回路    ２：８／１６復調回路
３：第１カウンタ            ４：第２カウンタ
５：第３カウンタ            ６：ＩＤ誤り検出回路
７：プリピットデータ再生回路
８：プリピット誤り検出回路  ９：アドレス選択回路
１０：ＯＲ回路              １１：ＩＤ誤り訂正回路
１２：プリピット誤り訂正回路
２０：再生部
【図１】
0003913928.tif 000002
【図２】
0003913928.tif 000003
【図３】
0003913928.tif 000004
【図４】
0003913928.tif 000005
【図５】
0003913928.tif 000006